(57)【要約】      （修正有）【課題】当初の取付けた位置から高さ方向に容易に移動可能な壁掛け電子機器を提供する。【解決手段】壁掛け電子機器１０は、取付部材２１を介して壁面に固定される電子機器筐体１１と、電子機器筐体の高さ方向において取付部材に対し電子機器筐体を移動自在に案内する第１案内手段２７ａ、２７ｂと、高さ方向における取付部材上の複数の位置に電子機器筐体を位置決めし且つ電子機器筐体を高さ方向に交差する斜め方向に移動自在に案内する第２案内手段２３と、を有する。第１案内手段は、電子機器筐体の斜め方向の相対的移動を禁止する係止手段を有する。【選択図】図１
2019046888.tif 000002
【特許請求の範囲】
【請求項１】
壁面に固定される壁掛け電子機器であって、
壁面に固定される取付部材と、
前記取付部材に固定される電子機器筐体と、
前記電子機器筐体の高さ方向において前記取付部材に対し前記電子機器筐体を移動自在に案内する第１案内手段と、
前記高さ方向における前記取付部材上の複数の位置に前記電子機器筐体を位置決めし且つ前記電子機器筐体を前記高さ方向に交差する斜め方向に移動自在に案内する第２案内手段と、を有し、
前記第１案内手段は、前記電子機器筐体の前記斜め方向の相対的移動を禁止する係止手段を有することを特徴とする壁掛け電子機器。
【請求項２】
前記第１案内手段は、
前記高さ方向に延在する前記取付部材の両端辺部にて互いに対向する開口を有する一対の平行溝と、
前記高さ方向に延在する前記電子機器筐体の背面の両端辺部に設けられ且つ前記一対の平行溝内にそれぞれ遊嵌自在な一対の平行凸部と、
を含み、前記係止手段は前記一対の平行溝の一方であることを特徴とする請求項１に記載の壁掛け電子機器。
【請求項３】
前記第１案内手段は、
前記高さ方向に延在する前記電子機器筐体の背面の両端辺部にて互いに対向する開口を有する一対の平行溝と、
前記高さ方向に延在する前記取付部材の両端辺部に設けられ且つ前記一対の平行溝内にそれぞれ遊嵌自在な一対の平行凸部と、
を含み、前記係止手段は前記一対の平行凸部の一方であることを特徴とする請求項１に記載の壁掛け電子機器。
【請求項４】
前記第２案内手段は、
前記電子機器筐体の背面に対向する前記取付部材の正面に前記高さ方向に所定間隔で配列され且つ前記斜め方向に平行に伸長する複数のガイド部と、
前記ガイド部に接触自在となるように前記取付部材の正面に対向する前記電子機器筐体の背面に前記所定間隔で配列された複数の凸部と、を含むことを特徴とする請求項２又は３に記載の壁掛け電子機器。
【請求項５】
前記第２案内手段は、
前記電子機器筐体に対向する前記取付部材の正面に設けられ且つ前記高さ方向に所定間隔で配列される複数の凸部と、
前記凸部に接触自在となるように前記取付部材の正面に対向する前記電子機器筐体の背面に前記所定間隔で配列され且つ前記斜め方向に平行に伸長する複数のガイド部と、を含むことを特徴とする請求項２又は３に記載の壁掛け電子機器。
【請求項６】
前記取付部材は、前記電子機器筐体の下方に、前記電子機器筐体の背面から正面へ向かう方向に突出する脱落防止部を備えることを特徴とする請求項１乃至５に記載の壁掛け電子機器。
【請求項７】
前記取付部材の前記一対の平行溝の前記一方の反対側の他方には、前記平行凸部に接触可能な変形可能係止部が設けられていることを特徴とする請求項２に記載の壁掛け電子機器。
【発明の詳細な説明】
【技術分野】
【０００１】
本発明は、取付部材を介して壁面に固定される壁掛け電子機器に関する。
【背景技術】
【０００２】
壁面に固定された取付具と該取付具を介して壁面に固定される本体部とからなる取付具付き筐体を備える電子機器が知られている（特許文献１）。
【先行技術文献】
【特許文献】
【０００３】
【特許文献１】特開2010-67631号公報
【発明の概要】
【発明が解決しようとする課題】
【０００４】
従来技術において、取付具を介して装置の本体部を壁面に固定した後に、何らかの事情で、取付けた本体部の位置から高さを変えるなど、本体部の取付け位置を調整する場合、取付具を付け直さなければいけないという問題があった。また、本体部を取付具に取付ける際に誤って本体部を落下させてしまうという問題もあった。
【０００５】
本発明は上記した従来の問題に鑑みなされたものであり、本体部の当初の取付けた位置から高さ方向に容易に移動可能な壁掛け電子機器を提供することを目的とする。
【課題を解決するための手段】
【０００６】
本発明の壁掛け電子機器は、壁面に固定される壁掛け電子機器であって、
壁面に固定される取付部材と、
前記取付部材に固定される電子機器筐体と、
前記電子機器筐体の高さ方向において前記取付部材に対し前記電子機器筐体を移動自在に案内する第１案内手段と、
前記高さ方向における前記取付部材上の複数の位置に前記電子機器筐体を位置決めし且つ前記電子機器筐体を前記高さ方向に交差する斜め方向に移動自在に案内する第２案内手段と、を有し、
前記第１案内手段は、前記電子機器筐体の前記斜め方向の相対的移動を禁止する係止手段を有することを特徴とする。
【発明の効果】
【０００７】
本発明によれば、前記第１案内手段及び第２案内手段を備えることにより、前記電子機器筐体が２つの方向のスライドが可能となり、容易に前記電子機器筐体が移動可能となる。
【図面の簡単な説明】
【０００８】
【図１】本発明による実施例の壁掛け電子機器１０が鉛直壁面に固定された様子を示す概略斜視図である。
【図２】実施例１の電子機器の筐体を示す四面図（（ａ）上面図、（ｂ）正面図、（ｃ）側面図、（ｄ）背面図）である。
【図３】実施例１の電子機器の取付部材を示す三面図（（ａ）上面図、（ｂ）正面図、（ｃ）側面図）である。
【図４】実施例１の電子機器の筐体が取付部材の上面側の開口から挿入されている様子を示す上面図である。
【図５】実施例１の電子機器の筐体が取付部材の上面側の開口から挿入されている様子を示す概略斜視図である。
【図６】実施例１の電子機器の筐体が取付部材の所定高さ位置の付近に一時停止させられた様子を示す概略斜視図である。
【図７】実施例１の電子機器の取付部材の所定高さ位置においてガイド部による筐体の斜め方向の相対的移動が禁止された様子を示す概略斜視図である。
【図８】実施例２の壁掛け電子機器の筐体と取付部材を示す三面図（（ａ）上面図、（ｂ）正面図、（ｃ）側面図）である。
【図９】実施例２の壁掛け電子機器が鉛直壁面に固定された様子を示す概略斜視図である。
【図１０】実施例３の壁掛け電子機器の筐体を示す三面図（（ａ）上面図、（ｂ）正面図、（ｃ）側面図）である。
【図１１】実施例３の壁掛け電子機器の取付部材を示す三面図（（ａ）上面図、（ｂ）正面図、（ｃ）側面図）である。
【図１２】実施例３の壁掛け電子機器が鉛直壁面に固定された様子を示す概略斜視図である。
【図１３】実施例３の壁掛け電子機器が鉛直壁面に固定された様子を示す概略斜視図である。
【発明を実施するための形態】
【０００９】
以下、図面を参照しつつ本発明による実施例の壁掛け電子機器の例について説明する。なお、本発明は以下の実施例に限定されるものではない。なお、実施例において、実質的に同一の機能及び構成を有する構成要素については、同一の符号を付することにより重複説明を省略する。
【実施例１】
【００１０】
図１は、本発明による実施例１の壁掛け電子機器１０が鉛直壁面に固定された様子を示す概略斜視図である。壁掛け電子機器１０は、略長方体状の樹脂製の筐体１１と、筐体１１を支持する壁面に固定される板状の金属製の取付部材２１と、から構成される。なお、取付部材２１は、その背面が複数のネジを用いて壁面にネジ止めされるが、ここではネジ及び壁面を省略して説明する。また、取付部材２１は樹脂製であってもよい。
【００１１】
図２は、当該電子機器の筐体１１を示す四面図（（ａ）上面図、（ｂ）正面図、（ｃ）側面図、（ｄ）背面図）である。筐体１１の中央内部には、導電パターンや多数の電子部品が実装されている回路基板アセンブリ（図示せず）が収容されている。筐体１１の背面の左右両端辺部に反対向きに突出した一対の平行な短冊状部（以下、平行凸部ともいう）１２ａ、１２ｂが一体的に設けられている。筐体１１の背面側には、同一高さで突出する略円柱形の複数の凸部１３が各短冊状部１２ａ、１２ｂの長辺に沿って直線状に整列するように周期的に設けられている。
【００１２】
図３は、取付部材２１を示す三面図（（ａ）上面図、（ｂ）正面図、（ｃ）側面図）である。取付部材２１は、その正面側に複数のガイド部２３、その下面側に底部２５、その上面側に開口２６、その左右両端辺部に平行溝２７ａ、２７ｂ、その右端辺部（平行溝２７ａ中程の底部）に片持ち梁の固定片２９を備えている。取付部材２１のガイド部２３、底部２５、平行溝２７ａ、２７ｂ及び固定片２９は、例えば、板金加工で形成されている。取付部材２１の左右両端辺部の一対の平行溝２７ａ、２７ｂの各々は、取付部材２１の正面へ向け断面が「コ」字状に曲げ加工された部分である。取付部材２１のガイド部２３の各々は、同一高さで突出する打ち出し成形された部分である。取付部材２１の正面側の重力方向の下面側の底部２５は取付部材２１の正面へ向け曲げられ断面が「Ｌ」字状に加工された部分である。
【００１３】
取付部材２１の左右両端辺部の一対の平行溝２７ａ、２７ｂは、互いに対向する開口を有し且つ筐体１１の高さ方向（重力方向）に伸びている。図３（ａ）に示すように、取付部材２１の平行溝２７ａ、２７ｂの底部の間の距離２７Ｌは、筐体１１の左右両端辺部の平行凸部１２ａ、１２ｂの端面の間の距離１２Ｌ（図２（ａ））より長く設定されている。筐体１１の平行凸部１２ａ、１２ｂが遊嵌される平行溝２７ａ、２７ｂは、取付部材２１に対し高さ方向において筐体１１を移動自在に案内する第１案内手段となる。
【００１４】
取付部材２１のガイド部２３は、筐体１１の高さ方向における複数位置に立設され、その正面側へ突出する凸部である。ガイド部２３の側面は、重力方向に斜めにそれぞれ平行となるように形成されている。複数の平行なガイド部２３は、筐体１１の凸部１３を誘導するために、それぞれの側面間の距離（図３（ｂ）の２３Ｗ）が凸部１３の幅（図２（ｄ）の１３Ｗ）を超えるように構成されている。ガイド部２３は、筐体１１の凸部１３に対応するように、且つ取付部材２１の正面側にて平行溝２７ａ、２７ｂに沿って直線状に整列するように周期的に設けられている。複数のガイド部２３は、凸部１３を介して、高さ方向における取付部材２１上の複数の位置のいずれかに筐体１１を位置決めし、筐体１１の高さ方向に交差する斜め方向に筐体１１を移動自在に案内する第２案内手段となる。
【００１５】
図４は、筐体１１が、実施例１の壁掛け電子機器１０における取付部材２１の上面側の開口２６から挿入されている様子を示す上面図である。図４（ａ）は、取付部材２１に筐体１１が挿入され、筐体１１の両端辺部の平行凸部１２ａ、１２ｂが平行溝２７ａ、２７ｂ内にてそれぞれ遊嵌されて筐体１１が高さ方向にて滑動自在となる様子を示す。図４（ｂ）は、取付部材２１のガイド部２３により、筐体１１の凸部１３を介して、平行溝２７に沿った或る高さ位置に筐体１１が位置決めされ、筐体１１が高さ方向に交差する斜め方向に移動自在に案内される様子を示す。図４（ｃ）は、筐体１１が、取付部材２１の固定片２９の変形により、所定高さ位置に取付部材２１の左側の平行溝２７ｂに固定される様子を示す。
【００１６】
取付部材２１は、筐体１１が、その上面側の平行溝２７ａ、２７ｂの開口２６から挿抜可能となるように構成されている。具体的には、図４（ａ）に示すように、取付部材２１の平行溝２７ａ、２７ｂの開口幅２７Ｗは、筐体１１の短冊状部（平行凸部）１２ａ、１２ｂの厚さＴと凸部１３の高さＨとの合計より大きい幅に設定さている。取付部材２１のガイド部２３は、筐体１１の右側の平行凸部１２ａの端面が取付部材２１の右側の平行溝２７ａの底部に接触又は近接する場合、筐体１１の凸部１３と接触しない取付部材２１の位置に配置され、ガイド部２３の右側に滑動エリアＳＲを画定している。これらにより、筐体１１は、その両端辺部の一対の短冊状部（平行凸部）１２ａ、１２ｂが取付部材２１の一対の平行溝２７ａ、２７ｂ内にてそれぞれ遊嵌され、滑動自在となる。
【００１７】
（動作の説明）
実施例１における筐体１１を取付部材２１に固定する際の動作を説明する。
【００１８】
図５は、鉛直壁面に固定された取付部材２１の上面側の開口２６から筐体１１が挿入されている壁掛け電子機器１０の様子を示す概略斜視図である。図６は、筐体１１が取付部材２１の所定高さ位置の付近に一時停止させられた壁掛け電子機器１０の様子を示す概略斜視図である。図７は、取付部材２１の所定高さ位置において、ガイド部２３による筐体１１の斜め方向の相対的移動が禁止された壁掛け電子機器１０の様子を示す概略斜視図である。
【００１９】
図５に示すように、筐体１１は、あらかじめ壁面に固定されている取付部材２１に、その上方から挿入され、筐体の両端辺部の平行凸部１２ａ、１２ｂが取付部材２１の平行溝２７ａ、２７ｂ内にてそれぞれ遊嵌されて、筐体１１が高さ方向にて滑動自在となる。この場合、左側の平行凸部１２ｂと左側の平行溝２７ｂの底部とは接触せず、筐体１１の凸部１３と取付部材２１のガイド部２３も接触しないように、筐体１１が取付部材２１の右側の平行溝２７ａに寄せられる。すなわち、図４（ａ）に示すように、筐体１１は、その左側の平行凸部１２ｂと取付部材２１の左側の平行溝２７ｂの底部との隙間ＧＰｂを存在させつつ、右側の平行凸部１２ａと平行溝２７ａで隙間ＧＰａを無くすように遊嵌される。
【００２０】
次に、図６に示すように、筐体１１は、任意の位置まで下方へスライドさせられ、固定する位置付近で凸部１３とガイド部２３をそれぞれ嵌合させられる。この場合、左側の平行凸部１２ｂと左側の平行溝２７ｂの底部並びに右側の平行凸部１２ａと右側の平行溝２７ａの底部は接触せず、筐体１１の凸部１３と取付部材２１のガイド部２３は接触する。
【００２１】
次に、図７に示すように、筐体１１は、凸部１３を介して、重力方向に斜めのガイド部２３に沿って斜め左下方へスライドさせられ、筐体１１左側（平行凸部１２ｂ）と取付部材２１の平行溝２７ｂの底部の隙間は接触部となる。取付部材２１の平行溝２７ｂの底部は、筐体１１の斜め方向の相対的移動を禁止する係止手段となる故に、その位置で施工者が筐体１１から手を離しても仮固定が完了する。なお、仮固定後、再び位置調整する際は、施工者が筐体１１を右上方へスライドさせて凸部１３をガイド部２３の右側の滑動エリアＳＲ（図４（ａ））へ移すことで上下の滑動が再び可能となる。
【００２２】
最後に、図１に示すように、筐体１１の位置が決定されたら上記の方法で仮固定後、施工者が、取付部材２１の平行溝２７ａの固定片２９を内側（筐体１１側）へ変形させ、左側の平行溝２７ｂと平行凸部１２ｂの隙間ＧＰｂ（図４（ｂ））を無くし、筐体１１の固定が完了する。さらに、固定完了後、取付部材２１の固定片２９の変形部を元に戻すことで、再度筐体１１を移動させることが可能である。なお、仮固定時や位置調整の際、筐体１１を誤って落下させても、取付部材２１の底部２５により筐体１１の落下を防止できる。これにより、筐体１１を落下させる事故に繋がる可能性を大幅に減らすことが出来る。
【００２３】
このように、本実施例において、取付部材２１と筐体１１の背面の左右両端辺に遊嵌自在の第１案内手段（平行溝、平行凸部）と、取付部材２１及び筐体１１の正面及び背面の間に第２案内手段（ガイド部、凸部））を設けている故に、第１案内手段及び第２案内手段を利用し筐体１１と取付部材２１の嵌合や位置の調整を行い、筐体１１の位置調整が完了したら、固定片２９により筐体１１の固定が達成できる。
【００２４】
以上、本実施例のように筐体１１と取付部材２１に第１案内手段と第２案内手段を設けることで、当初の取付けた位置から筐体１１を微妙に移動する場合に取付部材２１を付け直さなくても良い効果が得られる。本実施例は、無線アクセスポイント、無線ルータ等の電波状況により設置位置の微調整を要する電子機器に好適である。
【実施例２】
【００２５】
以下に、本発明の実施例２の壁掛け電子機器について説明する。なお、実施例２は、実施例１の壁掛け電子機器の筐体１１の平行凸部１２ａ、１２ｂ及び取付部材２１のガイド部２３を、それぞれ取付部材２１の正面側及び筐体１１の背面側に位置を変えて設けた以外、同様の構成を有している。従って、実施例１と同様の実施例２の構成については説明を省略する。
【００２６】
図８は、実施例２の壁掛け電子機器１０の筐体１１と取付部材２１を示す三面図（（ａ）上面図、（ｂ）正面図、（ｃ）側面図）である。図９は、実施例２の壁掛け電子機器１０が鉛直壁面に固定された様子を示す概略斜視図である。
【００２７】
図８及び図９に示すように、第２案内手段の一部である複数の凸部１３１は、壁掛け電子機器１０の筐体１１に対向する取付部材２１の正面に設けられ且つ高さ方向に所定間隔で配列されるように、設けられている。さらに、第２案内手段の一部である複数のガイド部２３１は、凸部１３１に接触自在となるように取付部材２１の正面に対向する筐体１１の背面に所定間隔で配列され且つ高さ方向に交差する斜め方向に平行に伸長するように、設けられている。
【００２８】
図９に示すように、筐体１１は、取付部材２１の凸部１３１を介して、自身の重力方向に斜めのガイド部２３１に沿って、図８に示す位置から斜め左下方へスライドさせられ、筐体１１左側（平行凸部１２ｂ）と取付部材２１左側の平行溝２７ｂの底部の隙間は接触部となる。すなわち、取付部材２１の平行溝２７ｂの底部は、筐体１１の斜め方向の相対的移動を禁止する係止手段となる。
【００２９】
実施例２によっても、当初の取付けた位置から筐体１１を微妙に移動する場合に取付部材２１を付け直さなくても良い効果が得られる。
【実施例３】
【００３０】
以下に、本発明の実施例３の壁掛け電子機器について説明する。なお、実施例３は、実施例１の壁掛け電子機器の筐体１１の平行凸部１２ａ、１２ｂ及び取付部材２１の平行溝２７ａ、２７ｂを、それぞれ取付部材２１の正面側及び筐体１１の背面側の両端辺部に位置を変えて設けた以外、同様の構成を有している。従って、実施例１と同様の実施例３の構成については説明を省略する。
【００３１】
図１０は、実施例３の壁掛け電子機器１０の筐体１１を示す三面図（（ａ）上面図、（ｂ）正面図、（ｃ）側面図）である。図１１は、実施例３の壁掛け電子機器１０の取付部材２１を示す三面図（（ａ）上面図、（ｂ）正面図、（ｃ）側面図）である。図１２と図１３は、実施例３の壁掛け電子機器１０が鉛直壁面に固定された様子を示す概略斜視図である。
【００３２】
図１０〜１３に示すように、第１案内手段の一方である一対の平行溝１２１ａ、１２１ｂは、高さ方向に延在する筐体１１の背面の左右両端辺部にて互いに対向する開口を有するように、設けられている。第１案内手段の他方である一対の平行凸部２７１ａ、２７１ｂは、高さ方向に延在する取付部材２１の左右両端辺部に設けられ、且つ一対の平行溝１２１ａ、１２１ｂ内にそれぞれ遊嵌自在となるように、設けられている。
【００３３】
図１２に示すように、筐体１１は、壁面に固定されている取付部材２１の上方から挿入され、取付部材２１の両端辺部の平行凸部２７１ａ、２７１ｂが筐体１１の平行溝１２１ａ、１２１ｂ内にてそれぞれ遊嵌されて、筐体１１が取付部材２１の所定高さ位置の付近に一時停止させられる。次に、図１３に示すように、筐体１１は、自身の凸部１３を介して、重力方向に斜めのガイド部２３に沿って斜め左下方へスライドさせられ、取付部材２１の右側（平行凸部２７１ａ）と筐体１１の右側の平行溝１２１ａの底部の隙間は接触部となる。筐体１１の平行溝１２１ａ、１２１ｂの底部は、筐体１１の斜め方向の相対的移動を禁止する係止手段となる。
【００３４】
実施例３によっても、当初の取付けた位置から筐体１１を微妙に移動する場合に取付部材２１を付け直さなくても良い効果が得られる。さらに、筐体１１が取付部材２１の幅よりも広く確保できるので、実施例３はアンテナ機器に好適である。
【００３５】
以上、本実施例では、筐体に適用した例を用い説明したが、筐体、取付部材の幅や、長さを変えることにより、壁面から着脱を要する筐体を有している電子装置にも適用可能である。
【符号の説明】
【００３６】
１０…壁掛け電子機器
１１…筐体
１２ａ、１２ｂ…平行凸部
１３…凸部
２１…取付部材
２３…ガイド部
２５…底部
２６…開口
２７ａ、２７ｂ…平行溝
２９…固定片
【図１】
2019046888.tif 000003
【図２】
2019046888.tif 000004
【図３】
2019046888.tif 000005
【図４】
2019046888.tif 000006
【図５】
2019046888.tif 000007
【図６】
2019046888.tif 000008
【図７】
2019046888.tif 000009
【図８】
2019046888.tif 000010
【図９】
2019046888.tif 000011
【図１０】
2019046888.tif 000012
【図１１】
2019046888.tif 000013
【図１２】
2019046888.tif 000014
【図１３】
2019046888.tif 000015